(57)【特許請求の範囲】
【請求項１】
搬送ライン上の複数本の条鋼をその長手方向に沿って同時に多条用矯正機に誘導するための、矯正機への条鋼誘導装置において、
前記搬送ラインに沿って走行可能な台車と、前記台車に搭載された、前記条鋼に対して昇降自在なガイド手段とからなり、前記ガイド手段は、互いに平行に且つ同一円周上に配された複数本のガイドロールからなり、前記複数本のガイドロールの各々は、互いに異なる形状および互いに異なるピッチのカリバーを有し、前記複数本のガイドロールのうちの１本は、前記条鋼に対応する形状および前記矯正機のロールカリバーのピッチと同一のピッチのカリバーを有しており、前記複数本のガイドロールの各々は、矯正される各種条鋼に応じて選択可能であることを特徴とする、矯正機への条鋼誘導装置。
【請求項２】
前記台車は、前記搬送ライン上の前記条鋼の搬送速度に対して速度差をもたせて走行することを特徴とする、請求項１記載の、矯正機への条鋼誘導装置。
【発明の詳細な説明】
【０００１】
【産業上の利用分野】
この発明は、矯正機への条鋼の誘導装置、特に、複数本の条鋼の各々の先端を確実に多条用矯正機に誘導し、噛み込ませることができる、矯正機への条鋼の誘導装置に関するものである。
【０００２】
【従来の技術】
図３に示すように、熱間圧延後、所定長さに切断されたアングル鋼等の条鋼１は、冷却床２に順次送られ、ここで冷却されるが、条鋼１には、冷却床２における不均一冷却によって熱応力歪が生じる。そこで、条鋼１は、冷却床２と矯正機４とを結ぶ搬送ラインに沿って設置された前面ローラーテーブル３によって、冷却床２から矯正機４に送られ、矯正機４において曲がり等の歪が取り除かれていた。
【０００３】
冷却床２から前面ローラーテーブル３に載せられた直後、即ち、図中Ａ位置においては、各条鋼１は、その幅方向に互いにセパレートされているが、前面ローラーテーブル２による搬送過程において、各条鋼１は、相互に寄り合い、矯正機４の入側に近い、図中Ｂ位置においては、相互にセパレートされた状態ではなくなり、この結果、条鋼１の先端が矯正機４のカリバーロールに確実に噛み込まれず、噛込み不良によるライン停止事故が発生することがあった。
【０００４】
そこで、条鋼１の先端を矯正機４に誘導するための条鋼誘導装置として、図４に示すように、前面ローラーテーブル２上の各条鋼１の搬送通路を仕切る案内板５からなるものが知られている。この案内板式誘導装置を矯正機４の入側に設置することによって、各条鋼１は、案内板５によって仕切られた搬送通路を通るので、各条鋼１の先端は、矯正機４に誘導される。以下、この誘導装置を従来技術１という。
【０００５】
別の条鋼誘導装置として、図５に示すように、矯正機４のカリバーロールのカリバーピッチと等しいピッチで溝が形成された昇降自在の溝付きローラ６からなるものが知られている。この溝付きローラ６を矯正機４の入側に設置し、これを条鋼１上に下降させれば、各条鋼１の幅方向の位置が拘束される。これによって、各条鋼１は、互いにセパレートされるので、各条鋼１の先端は、矯正機４に誘導される。以下、この誘導装置を従来技術２という。
【０００６】
更に、別の条鋼誘導装置として、図６に示すように、従来技術２と同様な溝付きローラ７を昇降自在および限定された範囲内で移動自在に構成したものが知られている。この溝付きローラ７を矯正機４の入側に設置し、これを条鋼１上に下降させた後、矯正機４方向に移動させれば、各条鋼１の幅方向の位置が拘束される。これによって、各条鋼１は、互いにセパレートされるので、各条鋼１の先端は、矯正機４に誘導される。以下、この誘導装置を従来技術３という。従来技術３は、溝付きローラ７が矯正機４方向にも限定された範囲内で移動可能であり、この動作によって条鋼１がしごかれる分、従来技術２に比べて、条鋼１の誘導性に優れている。
【０００７】
【発明が解決しようとする課題】
しかしながら、従来技術１は、次のような問題点を有している。即ち、冷却床２から矯正機４に条鋼１を搬送するための前面ローラーテーブル２の長さが長くなると、案内板５に搬送される前に条鋼１が互いに寄り合って、一つの仕切りに２本の条鋼１が入り込むことがある。また、従来技術２および３は、溝付きローラ６、７を条鋼１上に下降させた場合に、一つの溝の中に２本の条鋼１が入り込むことがある。従来技術３は、溝付きローラ７が矯正機４方向に移動可能であるが、溝付きローラ７の移動範囲が限定されているので、溝付きローラ７の入側における条鋼１の寄り合いは防げない。更に、何れの従来技術においても条鋼１の種類毎に誘導装置を交換する必要がある。
【０００８】
従って、この発明の目的は、例え、冷却床から矯正機に条鋼を搬送するための前面ローラーテーブルの長さが長くなっても、複数本の条鋼の各々の先端を確実に多条用矯正機に誘導し、噛み込ませることができ、しかも、異なる種類の条鋼に容易に対応することができる、矯正機への条鋼の誘導装置を提供することにある。
【０００９】
【課題を解決するための手段】
請求項１に記載された、この発明の特徴は、搬送ライン上の複数本の条鋼をその長手方向に沿って同時に多条用矯正機に誘導するための、矯正機への条鋼誘導装置において、前記搬送ラインに沿って走行可能な台車と、前記台車に搭載された、前記条鋼に対して昇降自在なガイド手段とからなり、前記ガイド手段は、互いに平行に且つ同一円周上に配された複数本のガイドロールからなり、前記複数本のガイドロールの各々は、互いに異なる形状および互いに異なるピッチのカリバーを有し、前記複数本のガイドロールのうちの１本は、前記条鋼に対応する形状および前記矯正機のロールカリバーのピッチと同一のピッチのカリバーを有しており、前記複数本のガイドロールの各々は、矯正される各種条鋼に応じて選択可能であることにある。
【００１０】
請求項２に記載された、この発明の特徴は、前記台車は、前記搬送ライン上の前記条鋼の搬送速度に対して速度差をもたせて走行することにある。
【００１２】
【作用】
冷却床から矯正機まで条鋼を搬送する搬送ラインに沿って移動する台車に、搬送ライン上の複数本の条鋼の幅方向の間隔を、矯正機のロールカリバーのピッチと一致するように修正するためのガイド手段を取り付けることによって、例え、冷却床から矯正機に条鋼を搬送するための前面ローラーテーブルの長さが長くなっても、複数本の条鋼の各々の先端を確実に多条用矯正機に誘導し、噛み込ませることができる。
【００１３】
しかも、ガイド手段を、条鋼の形状に対応するカリバーを有し、カリバーのピッチを矯正機のロールカリバーのピッチと同一にした複数本のガイドロールによって構成し、このガイドロールを矯正される各種条鋼に応じて選択可能にすることによって、異なる種類の条鋼に容易に対応することができる。
【００１４】
【実施例】
次に、この発明の、矯正機への条鋼の誘導装置の一実施例を、図面を参照しながら説明する。
【００１５】
図１は、この発明の、矯正機への条鋼の誘導装置の一実施例を示す部分側面図、図２は、この発明の、矯正機への条鋼の誘導装置の一実施例を示す部分斜視図である。
【００１６】
図１において、８は、冷却床（図示せず）と矯正機４との間を結ぶ搬送ライン上に設置された前面ローラーテーブルである。９は、前面ローラーテーブル８に沿って敷設されたレールである。１０は、レール９に沿って走行可能な台車である。１１は、台車１０に搭載されたガイド手段であり、前面ローラテーブル８上の各条鋼１の幅方向の間隔を、矯正機４のロールカリバーのピッチと一致するように修正する機能を有している。
【００１７】
ガイド手段１１は、複数本のガイドロール１２と、ガイドロール１２を条鋼１に対して昇降させるための昇降手段としてのシリンダー１３とから構成されている。各ガイドロール１２は、互いに異なる形状および互いに異なるピッチのカリバーを有しており、その内の一本は、条鋼１に対応する形状および矯正機４のロールカリバーのピッチと同一のピッチのカリバーを有している。各ガイドロール１２は、ターレットローラ式あるいはレボルバー式、即ち、互いに平行に且つ同一円周上に配され、中心軸１４を中心として回転し、所望のガイドロール１２を条鋼１の種類に応じて選択することができるように構成されている。ガイドロール１２の選択は、手動あるいは機械的に行ってもよく、選択後は、定位置において固定されるようになっている。
【００１８】
このように構成されている、この発明の誘導装置によれば、次のようにして条鋼が矯正機に確実に誘導される。即ち、条鋼１が冷却床から前面ローラーテーブル８上に移された直後で、各条鋼１が互いにセパレートされている状態にあるときに、シリンダー１３を作動させて、条鋼１の種類に応じて予め選択した、条鋼１および矯正機４に対応したガイドロール１２を条鋼１上に下降させる。これによって、各条鋼１の先端幅方向の位置が拘束される。この場合、ガイドロール１２によって必ずしも条鋼１の先端幅方向位置を拘束する必要はない。
【００１９】
次に、台車１０をレール９に沿って矯正機４側に走行させる。この際、台車１０を条鋼１の移動速度と同期させて走行させてもよいが、台車１０の走行速度を条鋼１の移動速度より若干遅くするか、あるいは、反対に若干速くすれば、ガイドロール１２による条鋼１のしごき効果が生じるので、条鋼１がより一層効果的にセパレートされる。しかも、セパレートされた状態でガイドロール１２が矯正機４側に移動するので、搬送途中で各条鋼１が互いに寄り合うことはない。このようにして、条鋼１の先端が矯正機４に接近したら、台車１０を減速、停止させて、条鋼１の先端を矯正機４のカリバーロールに噛み込ませる。
【００２０】
【発明の効果】
以上説明したように、この発明によれば、次のような有用な効果がもたらされる。
▲１▼  冷却床から矯正機まで条鋼を搬送する搬送ラインに沿って移動する台車に、搬送ライン上の複数本の条鋼の幅方向の間隔を、矯正機のロールカリバーのピッチと一致するように修正するためのガイド手段を取り付けることによって、例え、冷却床から矯正機に条鋼を搬送するための前面ローラーテーブルの長さが長くなっても、複数本の条鋼の各々の先端を確実に多条用矯正機に誘導し、噛み込ませることができる。
【００２１】
▲２▼  ガイド手段を、条鋼の形状に対応するカリバーを有し、カリバーのピッチを矯正機のロールカリバーのピッチと同一にした複数本のガイドロールによって構成し、このガイドロールを矯正される各種条鋼に応じて選択可能にすることによって、異なる種類の条鋼に容易に対応することができる。
【００２２】
▲３▼  台車の走行速度と条鋼の移動速度に差をつけることによって、条鋼をしごくことができるので、条鋼を矯正機に確実に誘導することができる。
【図面の簡単な説明】
【図１】この発明の、矯正機への条鋼の誘導装置の一実施例を示す部分側面図である。
【図２】この発明の、矯正機への条鋼の誘導装置の一実施例を示す部分斜視図である。
【図３】冷却床から矯正機に搬送される条鋼を示す平面図である。
【図４】従来技術１を示す概略斜視図である。
【図５】従来技術２を示す概略斜視図である。
【図６】従来技術３を示す概略斜視図である。
【符号の説明】
１：条鋼
２：冷却床
３：前面ローラーテーブル
４：矯正機
５：案内板
６：溝付きローラ
７：別の溝付きローラ
８：前面ローラーテーブル
９：レール
１０：台車
１１：ガイド手段
１２：ガイドロール
１３：シリンダー
１４：中心軸
【図１】
0003598149.tif 000002
【図２】
0003598149.tif 000003
【図３】
0003598149.tif 000004
【図４】
0003598149.tif 000005
【図５】
0003598149.tif 000006
【図６】
0003598149.tif 000007